(57)【要約】【課題】  一人で、かつ、容易に、既設配管のマーキングができる設備と、それを用いたマーキング方法を提供する。【解決手段】マーキングの対象となる対象配管２上に安定して載置できる幅と長さを有する第１の板材３と、対象配管２の側面に接触する第２の板材４とを直角に組み合わせてＬ字形状とした本体と、第１の板材上設置された水準器５とから成り、第１の板材の端面３ａおよび、第２の板材の端面４ａに、基点６から測った該対象配管の外半径に相当する距離を示すマーク７ａ、８ａを設けた通り芯マーキング治具、および、それを用いた通り芯マーキング方法。【選択図】図３
2015116636.tif 000002
【特許請求の範囲】
【請求項１】
マーキングの対象となるほぼ水平に配置された配管（以下「対象配管」と言う）上に安定して載置できる幅と長さを有する第１の板材と、該対象配管の側面に接触する第２の板材とを直角に組み合わせてＬ字形状とした本体と、該第１の板材上に設置された水準器とから成り、該第１の板材の端面に、該第２の板材の内側から測った該対象配管の外半径に相当する距離を示すマークを設けた通り芯マーキング治具。
【請求項２】
請求項１記載の通り芯マーキング治具であって、前記第２の板材の端面に、前記第１の板材の内側から測った前記対象配管の外半径に相当する距離を示すマークを設けた通り芯マーキング治具。
【請求項３】
請求項１または請求項２に記載の通り芯マーキング治具を用いて前記対象配管に通り芯をマーキングする方法。
【発明の詳細な説明】
【技術分野】
【０００１】
本発明は、既設の配管の通り芯をマーキングする治具に関するものである。
【背景技術】
【０００２】
配管工事、なかでも、現地合わせをする小口径管の工事や改造工事においては、まず、既存の配管の位置を正確に把握しなければならない。そのためには、現場でその配管の通り芯を正確にマーキングする必要がある。
【０００３】
従来は、一人の作業員が差し金をマーキングする配管の上部と１側面にあてがい、水準器を用いて配管の上部にあてがった差し金の一端を水平に維持した状態を保ち、もう一人の作業員がその配管の外半径に相当する距離を、側面にあてがった差し金から水平方向に直尺を用いて測り、そこにマーキングをして通り芯を確定していた。
【０００４】
したがって、差し金の一端を水平に維持する人とマーキングをする人の二人作業とならざるをえず、必要な作業員の数が増えるばかりでなく、二人の作業員が入りにくい狭隘部では作業がやりにくいと言う問題があった。
【０００５】
従来、特許文献１や特許文献２のように配管のソケット部への挿入寸法等をマーキングする発明は多々見受けられるが、通り芯をマーキングするものは見受けられない。
【先行技術文献】
【特許文献】
【０００６】
【特許文献１】特開２０１１−１４８０１７号公報
【特許文献２】特開２０１０−１５５２９６号公報
【非特許文献】
【０００７】
【非特許文献１】無し
【発明の概要】
【発明が解決しようとする課題】
【０００８】
解決しようとする課題は、一人で、かつ、容易に、既設配管のマーキングができる治具と、それを用いたマーキング方法を提供することである。
【課題を解決するための手段】
【０００９】
上記課題を解決する本発明は、マーキングの対象となるほぼ水平に配置された配管（以下「対象配管」と言う）上に安定して載置できる幅と長さを有する第１の板材と、該対象配管の側面に接触する第２の板材とを直角に組み合わせてＬ字形状とした本体と、該第１の板材上に設置された水準器とから成り、該第１の板材の端面に、該第２の板材の内側から測った該対象配管の外半径に相当する距離を示すマークを設けた通り芯マーキング治具である。
【００１０】
第１の板材は、対象配管の上に載せたときに安定して載置できる幅を有するので、従来用いていた差し金と違い、対象配管が多少傾斜を持って配置されていても対象配管の上に載せたときにその管軸方向に傾いたり、倒れることがない。また、第２の板材を組み合わせてある第１の板材の一端はその分だけ重くなり、回転モーメントが働いて下がりがちになるが、対象配管の上に載せたときに左右の回転モーメントがほぼ等しくなるように第１の板材の他端を延ばして第１の板材に全体として適切な長さを持たせることにより、作業員が手で支えることなく、それ自身の重力と摩擦力だけで対象配管上に安定してその姿勢を保つことができる。
【００１１】
作業員は、対象配管の上部に第１の板材を、対象配管の１側面に第２の板材をあてがい、第１の板材に設置した水準器の気泡の位置を見ながら第１の板材を水平になるように調整する。本発明の通り芯マーキング治具は上述の様に対象配管の上に設置されると重力と摩擦力だけで安定してその姿勢を保つことができるから、第１の板材が水平になった状態で作業員は手を離し、マーキング作業に移ることができる。
【００１２】
L字形状に組み合わされた第２の板材の内側から対象配管の外半径に相当する距離を測って第１の板材の端面にマークを設けることにより、改めて直尺を取り出すまでもなく、そのマークの位置に合わせて対象配管にマーキングすれば良いので、本発明の通り芯マーキング治具の設定からマーキングまで一人で容易に作業ができる。
【００１３】
１台の本発明の通り芯マーキング治具で扱える対象配管は、一つの口径のものに限らない。例えば、A呼称で１５０Aの配管は外径が１６５．２ｍｍ、２００Ａの配管は外径が２１６．３ｍｍであるから、それらの外半径である８２．６ｍｍと１０８．２ｍｍに対応するマークを第１の板材の端面に設けておくことにより、いずれにも対応できる。しかし、１５０Ａの配管用に作った本発明の通り芯マーキング治具を、大きく外径の異なる配管、例えば、５００Ａの配管に使用した場合には、上記の左右の回転モーメントに大きな差が出て、摩擦力だけで対象配管上に安定して載置できなくなるので、１台の本発明の通り芯マーキング治具で扱える対象配管の範囲には限度がある。
【００１４】
なお、２枚の板材を組み合わせたＬ字形状本体は、対象配管上に容易に安定して載置できるから、水準器は第１の板材の上に固定しても良いし、単に載せておくだけでも良い。
【００１５】
さらに、本発明は請求項１記載の通り芯マーキング治具であって前記第２の板材の端面に、前記第１の板材の内側から測った前記対象配管の外半径に相当する距離を示すマークを設けた通り芯マーキング治具である。
【００１６】
第２の板材にも対象配管の外半径を表示すマークを設けることにより、平面上の通り芯だけでなく、高さ方向の通り芯も容易にマーキングすることができる。
【００１７】
また、本発明は請求項１または請求項２に記載の通り芯マーキング治具を用いて前記対象配管に通り芯をマーキングする方法である。この方法を用いることにより、作業員は一人で既設配管の通り芯を容易にマーキングすることができる。
【発明の効果】
【００１８】
本発明の通り芯マーキング治具を用いることにより、作業員が一人で、かつ、容易に、既設配管のマーキングをすることができる。平面上の通り芯だけでなく、高さ方向の通り芯も容易にマーキングすることができる。その結果、作業員の数を減らせるだけでなく、二人の作業員が入り込めないような狭隘部においてもマーキング作業を容易に行うことができる。
【図面の簡単な説明】
【００１９】
【図１】本発明の通り芯マーキング治具の実施例の正面図である。
【図２】そのＡ−Ａ矢視図である。
【図３】本発明の通り芯マーキング治具を用いて通り芯をマーキングする方法の説明図である。
【発明を実施するための形態】
【００２０】
本発明の実施の形態について図面を参照しながら説明をする。なお、本発明はかかる実施の形態には限定されず、本発明の範囲内でその具体的構造に種々の変更を加えて良いことは言うまでもない。
【実施例１】
【００２１】
図１は本発明の通り芯マーキング治具の実施例の正面図、図２はそのＡ−Ａ矢視図、そして、図３はこ通り芯マーキング治具を用いて通り芯をマーキングする方法の説明図である。通り芯マーキング治具１の本体は、通り芯をマーキングする対象配管２の上に水平に載置される第１の板材３と、その一端に精度良く直角に取り付けられ、対象配管２の側面に添えられる第２の板材４からなるＬ字形状の構造体からなる。
【００２２】
第１の板材３の幅Ｗと長さＬは、上述の通り対象配管２の上に安定して載置できる寸法に選定する。一方、第２の板材４の幅には特に制限が無く、長さについては対象配管２の側面に接触できる長さ、すなわち、対象配管２の外半径を超える長さがあればよい。両者が精度良く直角に組み立てられることが必要であることは言うまでもない。
【００２３】
対象配管２の上に通り芯マーキング治具を乗せてマーキング作業を行う際に、第１の板材を水平に維持するため第１の板材３の上には水準器５が設置される。第１の板材３に水準器５を固定しないで、単に乗せておくだけにすれば、対象配管２に通り芯マーキング治具１を載せたときに、左右の回転モーメントを調整しやすくなる。一方、水準器５を第１の板材３に固定すれば、不測の事態が起こっても水準器５のみが落下する様なことがない。  
【００２４】
L字形状に組み合わされた第１の板材と第２の板材の交点の内側、すなわち、図１の基点６から対象配管２の外半径に相当する距離を測って第１の板材の端面３ａにマーク７ａ、７ｂ、７ｃ、・・・を設ける。例えば、１５０Ａの配管に対しては基点６から外半径の８２．６ｍｍ離れたマーク７ａを、１７５Ａの配管に対しては外半径の９５．４ｍｍ離れたマーク７ｂを、そして、２００Ａの配管に対しては外半径の１０８．２ｍｍ離れたマーク７ｃを設ける。このように複数の配管に対応させるためには、それぞれのマークに図３に示すように、明瞭に配管サイズを付記しておくことが望ましい。
【００２５】
同様に、第２の板材４の端面４ａにも基点６から対象配管２の外半径に相当する距離を測ってマーク８ａ、８ｂ、８ｃ、・・・を設ける。ここでも、それぞれのマークに配管サイズを付記しておくことが望ましい。
【００２６】
マーキング作業を行うに当たっては、図３に示すように、本発明の通り芯マーキング治具１を対象配管２の上面に載せ、第２の板材４をその側面に沿わせながら、水準器５の気泡５ａを見て第１に板材３を水平に保つ。この状態で通り芯マーキング治具１は安定して維持されるから、作業員は通り芯マーキング治具から手を離し、所定のマーク、この場合には、対象配管２は１５０Ａであるので、それに対応するマーク７ａに合わせて配管上にマーク２ａを刻印すれば、それは、対象配管２の平面上の通り芯９ａの正確な位置を示すことになる。同様に、マーク８ａに合わせてマーク２ｂを刻印すれば、それは、対象配管２の高さ方向の通り芯９ｂの正確な位置を示すことになる。
【００２７】
この一連の作業は、他の人手を要さず、すべて一人で完了できる。二人の作業員が入り込めないような狭隘部においてもマーキング作業を容易に行うことができる。
【符号の説明】
【００２８】
１    通り芯マーキング治具
２    対象配管
２ａ、２ｂ  通り芯のマーク
３    第１の板材
３ａ  その端面
４    第２の板材
４ａ  その端面
５    水準器
６    基点
７ａ、７ｂ、７ｃ、・・  外半径を示すマーク
８ａ、８ｂ、８ｃ、・・  同上
９ａ  対象配管の平面上の通り芯
９ｂ  対象配管の高さ方向の通り芯
【図１】
2015116636.tif 000003
【図２】
2015116636.tif 000004
【図３】
2015116636.tif 000005